(57)【特許請求の範囲】
【請求項１】
家具本体（４）へ取り付けられるべき本体レール（３ｃ）を有し、かつ、前記本体レール（３ｃ）と相対的に移動可能な少なくとも１つのプルアウトレール（３ａ）を有する引出し（２）のためのプルアウトガイド（３）であって、
少なくとも１つの取り付け手段を備えた保持要素（５）を備えており、当該保持要素（５）は、当該少なくとも１つの取り付け手段によって、前記プルアウトレール（３ａ）へ取り付けられることができるか、または前記プルアウトレール（３ａ）へ取り付けられ、
さらに前記引出し（２）を前記プルアウトレール（３ａ）へ接続できる接続要素（７）を有し、前記接続要素（７）は、前記引出し（２）の後板（２ｄ）へ接続されるか、または接続可能であり、且つ前記接続要素（７）は、前記保持要素（５）と相対的に第１の端位置と第２の端位置との間で移動可能なように取り付けられ、
前記接続要素（７）を前記第１の端位置と前記第２の端位置との間に位置決めされる中立位置に保持するばね要素（８）が設けられることを特徴とするプルアウトガイド。
【請求項２】
前記接続要素（７）は、前記プルアウトガイド（３）の組立て位置において前記保持要素（５）に対して水平に移動可能なように取り付けられることを特徴とする、請求項１に記載のプルアウトガイド。
【請求項３】
前記プルアウトガイド（３）の組立て位置における前記接続要素（７）は、前記プルアウトレール（３ａ）の長手方向を横断する横方向に移動可能なように取り付けられることを特徴とする、請求項２に記載のプルアウトガイド。
【請求項４】
中央レール（３ｂ）は、前記プルアウトレール（３ａ）と前記本体レール（３ｃ）との間に配置されることを特徴とする、請求項１から請求項３のいずれか一項に記載のプルアウトガイド。
【請求項５】
前記保持要素（５）上にガイド装置が配置され、前記接続要素（７）は、前記保持要素（５）上で動くべく滑動可能なように前記ガイド装置によって案内されることを特徴とする、請求項１から請求項４のいずれか一項に記載のプルアウトガイド。
【請求項６】
前記ガイド装置は、前記保持要素（５）内に、または前記保持要素（５）上に取り付けられる少なくとも１つのガイドレールまたはガイドリッジ（２６ａ、２６ｂ）を有し、前記接続要素（７）上に、前記ガイドレールまたは前記ガイドリッジ（２６ａ、２６ｂ）を少なくとも部分的に包含しかつ前記ガイドレールまたは前記ガイドリッジ（２６ａ、２６ｂ）に沿って滑動可能なように取り付けられるガイドケーシングまたはガイドプロファイル（２９ａ、２９ｂ）が配置されることを特徴とする、請求項５に記載のプルアウトガイド。
【請求項７】
前記接続要素（７）は、前記引出し（２）へ接続された状態で前記引出し（２）内の凹部に係合するフック形状の保持ラグ（２８）を備えることを特徴とする、請求項１から請求項６のいずれか一項に記載のプルアウトガイド。
【請求項８】
前記保持ラグ（２８）は、弾性的に形成されるか、前記ばね要素（８）により荷重されることを特徴とする、請求項７に記載のプルアウトガイド。
【請求項９】
前記保持要素（５）は、前記プルアウトガイド（３）の組立て位置において、前記接続要素（７）を前記保持要素（５）に対して垂直に動かすための高さ調整機構（６）を備えることを特徴とする、請求項１から請求項８のいずれか一項に記載のプルアウトガイド。
【請求項１０】
前記高さ調整機構（６）は、回転可動式変換機構（１１）を備え、前記回転可動式変換機構（１１）の回転運動は、前記接続要素（７）の並進運動に変換可能であることを特徴とする、請求項９に記載のプルアウトガイド。
【請求項１１】
前記回転可動式変換機構（１１）は、前記プルアウトレール（３ａ）の長手方向に対して略平行に配置される軸を中心として回転式に動くことを特徴とする、請求項１０に記載のプルアウトガイド。
【請求項１２】
前記回転可動式変換機構（１１）は、ねじおよび／またはハンドルによって作動可能であることを特徴とする、請求項１０に記載のプルアウトガイド。
【請求項１３】
前記ハンドルがレバーを備えることを特徴とする、請求項１２に記載のプルアウトガイド。
【請求項１４】
前記保持要素（５）上には、前記高さ調整機構（６）とは独立して作動可能な横方向調整機構が配置され、前記接続要素（７）は、前記第１の端位置と前記第２の端位置との間で前記横方向調整機構により移動可能であることを特徴とする、請求項９から請求項１３のいずれか一項に記載のプルアウトガイド。
【請求項１５】
前記横方向調整機構は、回転可動式変換機構（９）を備え、前記回転可動式変換機構（９）の回転運動は、前記接続要素（７）の並進運動に変換可能であることを特徴とする、請求項１４に記載のプルアウトガイド。
【請求項１６】
前記回転可動式変換機構（９）は、前記プルアウトレール（３ａ）の長手軸に対して略平行に配置される軸を中心として回転式に動くことができることを特徴とする、請求項１５に記載のプルアウトガイド。
【請求項１７】
前記保持要素（５）は、前記高さ調整機構（６）および／または前記横方向調整機構を解放可能式にロックすることができるロック装置を有することを特徴とする、請求項１４から請求項１６のいずれか一項に記載のプルアウトガイド。
【請求項１８】
引出し（２）の対向する側面（２ｃ）に配置される２つのプルアウトガイド（３、１３）のセットであって、
前記引出し（２）の第１の側面に配置されるべき、請求項１から請求項１７のいずれか一項に記載のプルアウトガイド（３）と、
前記引出し（２）の第２の側面に配置されるべき第２のプルアウトガイド（１３）とを備え、
前記第２のプルアウトガイド（１３）は、前記引出し（２）を前記第２のプルアウトガイド（１３）のプルアウトレール（１３ａ）へ接続する、または接続することができる第２の接続要素（１７）を有する第２の保持要素（１５）を有し、かつ前記第２の保持要素（１５）は、前記第２の接続要素（１７）を前記第２の保持要素（１５）と相対的に前記第１の端位置と前記第２の端位置との間の前記接続要素（７）の可動性に対して平行方向に動かすことができる横方向調整機構を有することを特徴とするプルアウトガイドのセット。
【請求項１９】
前記横方向調整機構は、回転可動式変換機構（９）を備え、前記回転可動式変換機構（９）の回転運動は、前記第２の接続要素（１７）の並進運動に変換可能であることを特徴とする、請求項１８に記載のプルアウトガイドのセット。
【請求項２０】
前記回転可動式変換機構（９）は、前記プルアウトレールの長手軸に対して略平行に配置される軸を中心として回転式に動くことができることを特徴とする、請求項１９に記載のプルアウトガイドのセット。
【請求項２１】
前記第２の保持要素（１５）上に第２のガイド装置が配置され、前記第２の接続要素（１７）は、前記第２の保持要素（１５）上で動くべく滑動可能なように前記第２のガイド装置によって案内されることを特徴とする、請求項１８から請求項２０のいずれか１項に記載のプルアウトガイドのセット。
【請求項２２】
前記第２の保持要素（１５）は、前記第２の接続要素（１７）を解放可能式にロックすることができる第２のロック装置を有することを特徴とする、請求項１８から請求項２１のいずれか一項に記載のプルアウトガイドのセット。
【請求項２３】
前記第２の保持要素（１５）上に、前記第２の接続要素（１７）を前記第２のプルアウトガイド（１３）の組立て位置において前記第２の保持要素（１５）に対して垂直に動かすことができる第２の高さ調整機構（１６）が配置されることを特徴とする、請求項１８から請求項２２のいずれか一項に記載のプルアウトガイドのセット。
【請求項２４】
請求項１から請求項１６のいずれか一項に記載の少なくとも１つのプルアウトガイド（３、１３）、または請求項１８から請求項２３のいずれか一項に記載のプルアウトガイドのセットを有する引出し。
【請求項２５】
請求項２４に記載の少なくとも１つの引出し（２）を有する家具。  
【発明の詳細な説明】
【技術分野】
【０００１】
本発明は、家具本体へ取り付けられるべき本体レールを有しかつ本体レールと相対的に移動可能な少なくとも１つのプルアウトレールを有する引出しのためのプルアウトレールであって、保持要素をプルアウトレールへ取り付けることができる、または保持要素をプルアウトレールへ取り付ける少なくとも１つの取り付け手段を有する保持要素を備え、かつ引出しをプルアウトレールへ接続できる接続要素を有し、接続要素は、保持要素と相対的に第１の端位置と第２の端位置との間で移動可能なように取り付けられるプルアウトガイドに関する。
【背景技術】
【０００２】
特許文献１が開示している引出しのためのプルアウトガイドにおいて、プルアウトガイドは、本体レールと相対的に移動可能であって、引出しをプルアウトレールへ調整可能式に接続可能な接続要素を有する保持要素を備える。調整機構は、接続要素を保持要素に対して水平に移動させる働きをし、この場合、回転運動成分は、回転可動式変換機構によって接続要素の並進運動に変換される。引出しは、これにより、例えば、接合装置を均一にするために、または家具本体における引出しの正しい引出し方向を確立するために、プルアウトレールに対して横方向に移動可能である。
【０００３】
各々引出しの２つの側板上に配置される２つのプルアウトガイドを備える、この特許文献１によるプルアウトガイドのセットの場合、先に述べたように、引出しをプルアウトレールに対して横方向へ位置合わせするための調整機構を有する保持要素がプルアウトガイド上に配置されるようになっている。しかしながら、このプルアウトガイドに対向する側面では、接続要素は、横方向調整用に固有の調整機構を設けることなく保持要素と相対的に移動可能なように取り付けられればそれでいい、という可能性がある。故に、プルアウトガイド上の接続要素が、調整機構を用いて保持要素と相対的に能動的に動かされる一方で、反対側の接続要素は、これらの動きに受動的に従う可能性がある。
【０００４】
片側にのみ設けられる横方向調整機構に加えて、保持要素は、双方のプルアウトガイド上に、プルアウトレールに対する引出しの高さを調整するためのさらなる調整機構を備えることができ、この高さ調整のための調整機構は、何れの場合も、横方向調整の調整機構とは独立して作動可能である。
【０００５】
このようなプルアウトガイドの欠点は、引出しが接続要素から外される際に、これらの接続要素が各々引抜き位置に留まることにある。その保持要素に横方向調整の調整機構が装備されているプルアウトガイドにおける接続要素のリセットは、まだ比較的容易に行うことができるが、反対側の接続要素の場合、例えば凹部形式である引出しの関連接続ポイントを、そこに対応する接続要素を配置するためにまず苦労して見つけ出さなければならない。その結果、プルアウトガイドへの引出しの再度の接続または取り付けは、ますます困難となる。
【先行技術文献】
【特許文献】
【０００６】
【特許文献１】オーストリア国特許出願第１４８／２０１０号明細書
【発明の概要】
【発明が解決しようとする課題】
【０００７】
本発明の目的は、これらの欠点を回避し、かつ引出しをプルアウトガイドへより容易に嵌め直す、または接続し直すことができるプルアウトガイドを提供することにある。
【課題を解決するための手段】
【０００８】
これは、請求項１に記載される特徴を有するプルアウトガイドによって達成される。
【０００９】
本発明によるプルアウトガイドは、少なくとも１つの取り付け手段によってプルアウトガイドへ取り付け可能な、または取り付けられる保持要素を備える。取り付け手段は、プルアウトレールの一体部分であることも可能であり、即ち、プルアウトレールは、一体形成される保持要素の取り付け手段との一体として形成される。
【００１０】
保持要素は、さらに接続要素を備え、引出しは、この接続要素によってプルアウトレールへ接続可能であり、または接続される。接続要素は、引出し自体へ接続される。プルアウトレールへの接続は、最終的に保持要素を介して行われる。接続要素は、第１の端位置と第２の端位置との間で保持要素に対して移動可能なように、好ましくは線形的に滑動可能なように取り付けられる。引出しが接続要素へ接続されると、保持要素に対する接続要素の相対可動性によって、引出しとプルアウトレールとの間の相対運動が有効化される。
【００１１】
ここで、接続要素を接続要素が引出しへ接続されていない場合に第１の端位置と第２の端位置との間に位置決めされる中立位置に保持するばね要素を設けることにより、引出しがプルアウトガイドから取り外されると、接続要素は、自動的に中立位置へリセットされる。中立位置は、例えば、第１および第２の端位置の真ん中に配置可能であり、よって中心位置に一致する。ばね要素は、接続要素が中立位置から変位されると直ちに復元力を生成する。ばね要素は、接続要素が引出しに接続されていないときは、接続要素がリセットされるような大きさに指定される。したがって、ばね要素は、単独で接続要素と接続された引出しとの双方を中立位置まで動かすには弱すぎるような復元ばね力を有する。ばね要素は、本質的に引出しとの接続のない状態でしか効力を生じないことから、この測度は、導入部で述べた調整機構による横方向調整が妨害されることを防止する。ばね要素自体は、１つまたは複数の弾性的に形成される部分、またはばね荷重式部分を有することが可能である。また、本発明に従って、保持要素内に１つまたは複数のばね要素を配置するようにすることも可能である。
【００１２】
接続要素は、引出しへ接続するために、例えば、引出しの後板に、または引出しの側板に、例えばこれらの内側本体の表側に配置可能である。本発明によるプルアウトガイドは、具体的には、木材を基礎とする材料より成る引出しを組み立てかつ調整できるようにし、引出しは、一般構造部品として、プルアウトガイドからの取り外し、プルアウトガイドへの取り付け、好ましくは工具を用いることのないプルアウトガイドの組み立て、かつ／または工具を用いることのないプルアウトガイドからの分解が可能である。
【００１３】
好ましくは、保持要素は、引出しの後部に接続されるように、例えば引出しの後板へ接続されるようにする。この目的に沿って、保持要素は、プルアウトガイドの後方端に、またはプルアウトガイドの延長レールの後端に配置可能である。
【００１４】
本発明のさらなる効果的な実施形態は、従属請求項に規定されている。
【００１５】
本発明の一実施形態において、プルアウトガイドは、プルアウトレールと本体レールとの間に配置されかつこれらと相対的に動くことができる中央レールを備える。このようなプルアウトガイドは、引出しを完全に引き出せるようにする。
【００１６】
ある特に好適な実施形態において、接続要素は、プルアウトガイドが組み立てられた位置において、即ち機能状態において、保持要素に対して水平に移動可能なように取り付けられるようにする。この場合、接続要素の第１および第２の端位置間の動作は水平である。具体的には、可動性は、プルアウトレールの長手方向を横切る横方向に与えられ、即ち、接続要素の第１および第２の端位置間の動作は、プルアウトガイドが組み立てられた位置における横方向、即ちプルアウトレールの長手方向に対して水平および垂直である。
【００１７】
接続要素は、これにより、接続要素のプルアウトレールに対する横方向変位に対して中立位置にリセット可能である。接続要素を能動的に動かすための横方向調整の調整機構を有する、反対側のプルアウトガイド上に配置される保持要素と相互作用して、本発明によるプルアウトガイドの保持要素は、可動式に取り付けられた接続要素を有する受動的な保持要素として働くことができる。引出しへ接続された状態では、接続要素の動作は互いに一致するが、接続されていない状態では、本発明によるプルアウトガイドの接続要素は、中立位置に保たれる。
【００１８】
特に好ましくは、ガイド装置は、保持要素上に配置されるようにし、これにより、接続要素は、保持要素上を滑動可能なように案内される。
【００１９】
このガイド装置は、保持要素内に取り付けられたガイドレールまたはガイドリッジを有する可能性があり、接続要素上には、ガイドレールまたはガイドリッジを少なくとも部分的に包含しかつガイドレールに沿って滑動できるように取り付けられるガイドケーシングまたはガイドプロファイルが配置される。原則として、ガイドレールまたはガイドリッジのプロファイルは、任意の形状であることが可能である。ガイドレールは、単純にガイドピンとして形成される。このようなガイド装置は、接続要素が適正かつ安定して横方向に滑動されることを保証する。
【００２０】
ガイド装置は、さらに、接続要素のガイドピンまたはガイドペグと係合する、保持要素内に配置される細長い穴、または保持要素内に配置されるスロット付きガイドを有することができ、この場合、ガイドピンまたはガイドペグは、細長い穴またはスロット内を滑動可能なように取り付けられる。
【００２１】
本発明のさらなる実施形態において、接続要素は、保持要素が引出しへ接続されている組み立てられた状態において引出し内の凹部に係合する、フック形状の保持ラグを備える。凹部は、予め穿たれたドリル穴であることが可能である。組み立てられた状態の保持ラグは、凹部内部にプレス嵌めによって、または押し嵌めによって保持可能である。保持ラグは、円筒形であることが可能であり、かつ接続をより安定させるために追加的なラッチ要素を有することが可能である。
【００２２】
概して、接続要素がばね要素により作用されるように、またはばね要素自体が接続要素の一部であり、よってそのために弾性的に形成されるようにすることが可能であるが、フック形状の保持ラグの場合、好ましくは、この保持ラグは、弾性的に形成されるように、またはばね要素によって作用されるようにする。ばね強度は、上述の基準に対応して選択されるべきものである。
【００２３】
ある実施形態では、保持要素上で接続要素を垂直に動かすための高さ調整機構が提供され、これにより、引出しのプルアウトガイドに対する、即ちその「高さ」に関する垂直位置を設定することができる。接続要素の動きは、接続要素の引出しへの間接的または直接的接続を介して引出しへ伝達される。高さ調整は、垂直動作の程度を設定することができ、それ故プルアウトレールに対して引出しを能動的かつ精巧に調整することができる調整機構を備える。「垂直」もやはり、プルアウトガイドの組み立てられた位置を指す。
【００２４】
同時に、変換機構の回転運動を接続要素の並進運動へ変換できる、回転可動式変換機構も設けることができる。好ましくは、変換機構は、プルアウトレールの長手軸に対して略平行に配置される軸を中心として回転可能または旋回可能である。変換機構を回転または旋回することにより、先行技術において知られる適切な機械的手段を用いて、接続要素の並進運動への変換が生じる。
【００２５】
変換機構は、引出しに取り付けられる保持部分またはアタッチメント部分に旋回可能式または回転可能式に取り付け可能である。プルアウトレールに対する引出しの垂直運動は、常に並進運動を含意する。回転運動成分を並進運動成分に変換できる変換機構は、レバー作用を利用でき、よって精巧な運動が能動的に可能である、という優位点を有する。高さ調整機構は、これにより、プルアウトレールに対する引出しの垂直位置を連続的に、または段階的に調整できるような方法で設計可能である。
【００２６】
ある実施形態において、変換機構は、工具を用いることなく高さ調整機構を作動させるためのハンドルを備えて形成される。これにより、プルアウトレールに対する引出しの垂直位置は、容易に設定可能である。
【００２７】
しかしながら、代替として、または追加的に、変換機構はねじを装備することも可能であり、この場合、変換機構は、ねじの回転によって作動可能である。
【００２８】
高さ調整をより容易にするために、さらに、変換機構は、少なくとも部分的にレバーの形式で、または偏心的に形成され、よって、手動によるほんの僅かな力で重い大型の引出しでも動かすことができるようにすることも可能である。
【００２９】
また、変換機構は、引出しを垂直に動かすために、待歯を有する調整ホイール、または垂直に配置される待歯と係合される、例えば歯付きラックである追加的な歯車も備えることができる。
【００３０】
本発明の一実施形態において、保持要素は、プルアウトレールへ固定的に接続される。この目的に沿って、プルアウトレール内の対応する凹部と係合される停止面または支持要素は、保持要素上に一体形成可能であり、またはプルアウトレールに溶接される。しかしながら、保持要素は、プルアウトレールへ着脱式に接続可能でもある。
【００３１】
高さを調整するために、保持要素上には、組み立てられた状態において引出しまたは引出しの底が少なくとも部分的に載る支持ブラケットが配置されるようにすることが可能である。少なくとも１つの支持ブラケットは、高さ調整機構によりプルアウトレールに対して垂直に移動可能であり、かつ接続要素の一部であることが可能である。しかしながら、少なくとも１つの支持ブラケットは、保持部分上に配置可能であり、この場合、保持部分は、保持要素上で垂直に移動可能なように取り付けられる。この場合、高さ調整機構の作動は、保持部分の垂直運動を引き起こす。
【００３２】
さらに、組み立てられた位置において保持要素に対する接続要素の動作を水平方向に、好ましくはプルアウトレールに対して横方向に生じさせる、さらなる調整機構も提供可能である。この場合、このさらなる調整機構は、横方向調整機構として働く。原則的に、横方向調整機構は、高さ調整機構と同様に構築可能であり、かつ類似の機械的手段を有することが可能である。接続要素の垂直並進運動の代わりに、（何れの場合も、プルアウトガイドの組み立てられた位置において）単に、横方向の水平並進運動を発生させなければならない。
【００３３】
引出しの位置は、高さ調整機構および横方向調整機構により、垂直方向および横方向の双方において高精度で能動的に設定可能である。また、横方向調整機構が高さ調整機構とは独立して作動されるようにし、これにより、横方向調整および高さ調整は切り離され、よって可能な限り多様な設定が提供される。
【００３４】
横方向調整機構および／または高さ調整機構は、ロック装置により解放可能式にロック可能であり、よって、プルアウトレールに対する引出しの横方向および／または垂直方向へのさらなる移動が防止される。
【００３５】
高さ調整機構および横方向調整機構は共に自動ロック式であることが可能であり、よって、引出しがプルアウトレールに対して能動的に調整された後は、横方向または垂直方向の自動的なさらなる動作が防止される。この自動ロックは、例えば、調整機構の構成要素の摩擦係合を基礎とすることが可能である。
【００３６】
横方向調整機構が、好ましくはプルアウトレールの長手軸に対して略平行に配置される軸を中心として回転可能な回転可動式変換機構を備える場合、変換機構の回転運動は、接続要素による横方向への、即ちプルアウトレールを横断する方向への並進運動に変換可能である。
【００３７】
本発明は、さらに、引出しの対向する側面に配置されるべき２つのプルアウトガイドを有する、引出しのプルアウトガイドのセットを備える。プルアウトガイドのセットは、引出しの第１の側面に配置されるべき先に述べたようなプルアウトガイドを備える。引出しの反対側面に配置されるべき第２のプルアウトガイドは、第２の接続要素を有する第２の保持要素を備える。第２の保持要素は、第２のプルアウトレールへ取り付けられ、または取り付け可能である。引出しは、第２のプルアウトガイドのプルアウトレールへ接続要素によって接続可能である。
【００３８】
本発明によれば、第２の保持要素は、第２のプルアウトガイドのプルアウトレールに対する引出しの横方向位置を設定するための横方向調整機構を有するようにする。第２の保持要素を有するプルアウトガイドは、オーストリア特許出願Ａ第１４８／２０１０号明細書と同様に設計可能である。これによれば、プルアウトレールに対する引出しの横方向運動は、第２の接続要素によって実行される。一方で、接続要素は、第２のプルアウトガイドに対向するプルアウトガイドの保持要素上へ略浮動式に取り付け可能であり、かつばね強度に対するばね要素の寸法決定に起因して、引出しが双方の接続要素へ接続されかつ双方の保持要素を介して第１および第２のプルアウトガイドのプルアウトレールへ接続されていれば、第２のプルアウトガイドの第２の保持要素上で第２の接続要素の相対動作に従うことができる。略浮動性の取り付けは、好ましくは、接続要素の第１および第２の端位置間での水平可動性に限定されるが、垂直方向では、高さ調整装置によって案内される付着性または可動性を提供することができる。しかしながら、原則的には、接続要素の浮動取り付けは、双方の運動方向においても可能である。第２の接続要素の横方向調整機構は、第２の接続要素を接続要素の第１および第２の端位置間の方向に一致する方向、またはこれに並行する方向に動かすことができるような方法で設計される。
【００３９】
本発明によるプルアウトガイドのセットを有する引出しを横方向に調整するために、一方のプルアウトガイドは能動的な横方向調整機構を有し、かつもう一方のプルアウトガイドは、引出しへ接続されていない状態でばね要素により中立位置に保持される、能動的調整に従う受動的に案内される接続要素を有するが、双方のプルアウトガイドは、先に述べたように設計可能な高さ調整機構を有することが可能である。引出し両側の高さ調整機構は、引出しの水平関連の歪んだ嵌合を防止する。
【００４０】
双方のプルアウトガイドの高さ調整機構および横方向調整機構は共に、先に述べたように設計可能である。
【００４１】
本発明は、さらに、先に述べたような少なくとも１つのプルアウトガイド、または先に述べたようなプルアウトガイドのセットを有する引出しに関する。
【００４２】
本発明は、さらに、少なくとも１つのこのような引出しを有する家具に関する。
【００４３】
以下、図面を参照して行う図の説明によって、本発明のさらなる細部および優位点をより詳しく説明する。
【図面の簡単な説明】
【００４４】
【図１】本発明による家具を示す一部破断斜視図である。
【図２】本発明によるプルアウトガイドのセットを有する引出しを示す斜視図である。
【図３ａ】本発明による保持要素を示す斜視図である。
【図３ｂ】図３ａに関連する分解図である。
【図４ａ】ある位置における、本発明による保持要素を示す正面図である。
【図４ｂ】異なる位置における、本発明による保持要素を示す正面図である。
【図４ｃ】異なる位置における、本発明による保持要素を示す正面図である。
【図５ａ】図４ａに関連する平面図を示す。
【図５ｂ】図４ｂに関連する平面図を示す。
【図５ｃ】図４ｃに関連する平面図を示す。
【図６】保持要素および第２の保持要素を備える、本発明によるプルアウトガイドのセットの一部を示す斜視図である。
【図７ａ】ある横方向位置における、本発明によるプルアウトガイドのセットを有する引出しを示す。
【図７ｂ】図７ａとは異なる横方向位置における、本発明によるプルアウトガイドのセットを有する引出しを示す。
【図８ａ】図７ａに関連する背面からの図である。
【図８ｂ】図７ｂに関連する背面からの図である。
【図９ａ】ばね荷重式接続要素を示す斜視図である。
【図９ｂ】関連の保持要素を示すさらなる分解図である。
【発明を実施するための形態】
【００４５】
図１の一部破断斜視図は、複数の引出し２を有する家具１を示し、引出し２は、家具本体４内に配置されて引出し可能であり、かつ家具本体４の各ケースに、家具本体４の対向する側面に配置される２つのプルアウトガイド３、１３によって取り付けられる。プルアウトガイド３、１３は、引出し２の対向する側板２ｃ上に配置されるが、プルアウトガイド１３は、画角に起因して不可視である。引出し２は、その前側に前板２ａを有し、かつその後側に引出し後板２ｄを有する。引出しの底２ｂは、これらの間に配置される。
【００４６】
図２は、本発明によるプルアウトガイド３が側板２ｃに配置される、引出し２の斜視図を示す。第２のプルアウトガイド１３は、反対側の側板２ｃに配置される。プルアウトガイド３、１３は、本体レール３ｃ、１３ｃと、これらの上に移動可能なように取り付けられるプルアウトレール３ａ、１３ａとを備える。保持要素５は、プルアウトレール３ａ上に配置される。保持要素５は、高さ調整機構６を有する。第２の保持要素１５は、対応式に、第２の高さ調整機構１６を有する。保持要素５および第２の保持要素１５は、各々ガイド装置を有し、これにより、接続要素７または第２の接続要素１７は、保持要素５または第２の保持要素１５上を移動すべく（プルアウトガイド３、１３が組み立てられた状態において）垂直方向に滑動できるように案内される。接続要素７は、ばね要素８によってばね荷重される。第２の接続要素１７の横方向位置を能動的に設定するための横方向調整機構は、第２の保持要素１５上にのみ配置される。（プルアウトガイド３の組み立てられた位置における）水平方向の可動性に関連して、保持要素５の接続要素７は、ばね要素８によるばね荷重を除いて浮動式に取り付けられる。したがって、引出し２へ接続された状態において、接続要素７は、横方向調整機構により実行される第２の接続要素１７の動きに従う。
【００４７】
図３ａは、保持要素５を斜視図で示している。図３ｂには、関連の分解図が示されている。高さ調整機構６は、調整レバーの形式である変換機構１１を備え、これは、組み立て位置において、プルアウトレール３ａの長手方向に平行して配置される軸を中心として、２点ベアリングピン１８ａ、１８ｂにより旋回可能式に取り付けられる。ラッチ要素２４は、保持要素５の一部である取り付け板１２の後側に配置される対応する凹部３３をロックする働きをする。
【００４８】
細長い穴として形成される凹部２３は、接続要素７を垂直運動の間に、即ち高さ調整機構６により接続要素７の垂直位置を設定する際に案内する働きをする。ベースサポート１０の後側に配置される、かつ凹部２３と係合されてこれらの凹部２３内で滑動できるように取り付けられる対応する突起３４は、この目的に沿って働く。
【００４９】
ピン１８ａは、ベースサポート１０内の開口２５および取り付け板１２内の開口１９を介して変換機構１１へ接続される。調整レバーが回転すると、ベースサポート１０は、開口２５を介する接続によって垂直に移動され、この動きは、ベースプレート１２の側板および凹部２３を介して案内される。変換機構１１の調整レバーは、プルアウトレール３ａの長手方向に対して平行な軸を中心として回転される。これを実行する間に、この回転運動は、ベースサポート１０の、かつ最終的にはベースサポート１０へ接続される接続要素７の並進運動に伝達または変換される。
【００５０】
ベースプレート１２は、プルアウトレール３ａへ直に取り付けられる。ベースサポート１０は支持ブラケット２０ａ、２０ｂを有し、引出し２が接続要素７へ接続されると、引出しの底２ｂは支持ブラケット２０ａ、２０ｂ上へ少なくとも部分的に載る。その結果、接続要素７を介する引出しへの接続に加えて、ベースサポート１０の垂直運動は引出し２へ伝達され、よって引出し２は、プルアウトレール３ａに対して垂直方向に動く。支持ブラケット２０ａ、２０ｂは、プルアウトレール３ａ内の対応する開口に取り付けられる。
【００５１】
中板２１は、ベースサポート１０内に、その垂直運動が中板２１へ伝達されるように配置される。ばね要素８は、中板２１の突起２２へ取り付けられる。ガイドリッジ２６ａ、２６ｂは中板２１の頂部に配置され、接続要素７の横方向および垂直運動を案内する働きをする。接続要素７は、接続要素７を引出し２へ接続しかつ接続要素７の垂直または水平運動を引出し２へ伝達するために引出し後板２ｄの対応する開口と係合することができるフック形状の保持ラグ２８を有する。
【００５２】
ガイドプロファイル２９ａ、２９ｂは、接続要素７の頂部に配置され、ガイドリッジ２６ａ、２６ｂと係合される。保持プロファイル２９ａ、２９ｂは、ガイドリッジ２６ａ、２６ｂ上を横方向へ、案内される横方向運動が存在するように滑動することができる。中板１２による垂直運動の場合、接続要素７も、同じくリッジ２６ａ、２６ｂを包含するガイドプロファイル２９ａ、２９ｂによって中板と共に垂直に動かされる。
【００５３】
ばね要素８と係合される保持プロファイル３０は、接続要素７の底部に配置される。接続要素７は、ばね要素８により、この保持プロファイル３０を介してばね荷重される。
【００５４】
図４ａは、第１の端位置における接続要素７を示す。ばね要素８は、その中立位置から変位され、かつ保持プロファイル３０を介して接続要素７へ復元力を矢印Ａの方向に加える。接続要素７は、横方向に変位されるプロセスにある。
【００５５】
図４ｂは、接続要素７に力が加えられない中立位置における接続要素７を示す。図４ａに比べると、接続要素７は、リッジ２６ａ、２６ｂに沿って右へ滑動されている。リッジ２６ａ、２６ｂは、ガイドプロファイル２９ａ、２９ｂのガイドとして働く。
【００５６】
図４ｃは、第２の端位置における接続要素７を示す。ばね要素８は、その中立位置から横方向に変位されていて、これにより、接続要素７へは矢印Ｂの方向に力が加わり、接続要素７は中立位置へと滑動し戻される。ただし、引出し２が接続要素７へ接続されていないことを条件とするが、これは、ばね要素８がこの場合リセットが生じるに足る強度では形成されないからである。
【００５７】
図４ａから図４ｃまでにおいて、接続要素７は、単に第１の端位置と第２の端位置との間で横方向に変位される。接続要素７へ接続される引出し２は、このような変位の場合、プルアウトレール３ａに対して横方向に動かされる。凹部２３に対する、かつ変換機構１１の位置からの接続要素７の位置を参照すれば明らかであるように、図４ａから図４ｃにおいて、接続要素７は垂直方向に、即ち高さに関しては動かされていない。
【００５８】
図５ａから図５ｃまでには、各々、図４ａから図４ｃに対応する接続要素７を伴った保持要素５の平面図が示されている。接続要素７の保持ラグ２８は、第１の端位置（図５ａ）と第２の端位置（図５ｃ）との間で動けるように取り付けられることが分かる。図５ｂは、第１の端位置と第２の端位置との間の中立位置に相当する。
【００５９】
図６は、本図には示されていない本体レール３ｃ、１３ｃ上で移動可能なように取り付けられる２つのプルアウトレール３ａ、１３ａを備えるプルアウトガイドのセットの一部を示す。プルアウトレール３ａ上に配置される保持要素５は、先行図に示されている保持要素に一致する。第２の接続要素１７が移動可能なように取り付けられる第２の保持要素１５は、プルアウトレール１３ａ上に配置される。第２の高さ調整機構１６は、その機能および設計に関して高さ調整機構６に略一致する。具体的には、第２の高さ調整機構１６も、調整レバー１１を有する変換機構１１を有する。しかしながら、接続要素７とは対照的に、第２の接続要素１７は、ばね要素８によって作用されない。代わりに、第２の保持要素１５は、第２の接続要素１７の横方向位置を能動的に設定できる横方向調整機構を有する。このような横方向調整機構は、オーストリア特許出願Ａ第１４８／２０１０号明細書に示されている。
【００６０】
接続要素７および第２の接続要素１７が保持ラグ２８を介して引出しへ接続されれば、横方向調整機構が作動されると、第２の接続要素１７の動きが接続要素７へ伝達される。ばね要素８は、単に、引出し２が接続されていない場合に接続要素７を中立位置へリセットさせる。横方向調整機構は、手動操作が可能な変換機構９を有する。しかしながら、これは、ドライバーにより作動要素２７を介して作動可能である。したがって、プルアウトレール１３ａに対する引出し２の横方向位置は、第２の保持要素１５を介して設定可能である。接続要素７は、引出し２へ接続されているときはこの動きに従うことが可能である。引出し２へ接続されていない場合、接続要素７は、ばね要素８によって中立位置に保持される。これにより、接続要素７の保持ラグ２８は、このために引出し２内に設けられる開口内へ容易に挿入可能であり、これにより、引出し２の簡易な組み立てが可能である。
【００６１】
図７ａは、本発明によるプルアウトガイドのセットを有する引出しを示す斜視図である。プルアウトレール３ａ上に配置される保持要素５は、その中立位置にある。引出し２は、第２の保持要素１５上の横方向調整機構を作動することにより、プルアウトレール３ａ、１３ａに対して横方向に移動可能である。保持要素５、１５の保持ラグ２８は、引出し後板２ｄ内の対応する開口に配置される。
【００６２】
これに対して、図７ｂでは、保持要素５の接続要素７は、第２の端位置の方向に動かされる。しかしながら、ばね要素８には、引出し２が接続されていない場合と同様に、接続要素７を保持ラグ２８を介して接続される引出し２と共に中立位置へと滑動して戻すに足る強度がない。
【００６３】
図８ａから図８ｃまでは、図７ａから図７ｃまでに対応する、本発明によるプルアウトガイドのセットを有する引出し２の一部破断後面図を示す。図８ａでは、接続要素７は中立位置にあるが、図８ｂでは、第２の端位置方向の動きが実行されている。動けるように取り付けられる中央レール３ｂ、１３ｂは、プルアウトレール３ａ、１３ａと本体レール３ｃ、１３ｃとの間に配置されていることが分かる。
【００６４】
図９ａは、接続要素７を保持プロファイル３０上に取り付けられたばね要素８と共に示す斜視図である。ベアリング３２は、中板２１の突起２２上へ取り付けられる。接続要素７は、横方向に変位されると、ばね要素８によって、中立位置方向の復元力が存在するように作用される。
【００６５】
図９ｂは、図３ｂとは異なる視点における、保持要素５の重要な要素を示すさらなる分解図である。凹部３３は、取り付け板１２上に円形に配置されかつ変換機構１１のラッチ要素２４に対応して形成されていることが分かる。凹部３３とロック式に係合するラッチ要素２４により、変換機構１１の段階的回転、延ては接続要素７の段階的垂直運動が可能となる。
【００６６】
中板２１上には、取り付け板１２内の凹部２３に滑動できるように取り付けられる突起３４が配置される。高さ調整が実行される場合、即ち、変換機構１１により実行される並進運動が発生する場合、これらは、ベースサポート１０、延ては接続要素７をガイドする働きをする。
【図１】
0005995957.tif 000002
【図２】
0005995957.tif 000003
【図３ａ】
0005995957.tif 000004
【図３ｂ】
0005995957.tif 000005
【図４ａ】
0005995957.tif 000006
【図４ｂ】
0005995957.tif 000007
【図４ｃ】
0005995957.tif 000008
【図５ａ】
0005995957.tif 000009
【図５ｂ】
0005995957.tif 000010
【図５ｃ】
0005995957.tif 000011
【図６】
0005995957.tif 000012
【図７ａ】
0005995957.tif 000013
【図７ｂ】
0005995957.tif 000014
【図８ａ】
0005995957.tif 000015
【図８ｂ】
0005995957.tif 000016
【図９ａ】
0005995957.tif 000017
【図９ｂ】
0005995957.tif 000018